(57)【要約】【課題】リジェクト紙幣を含む装置内の在高管理を容易に行う。【解決手段】入金された紙幣を金種に応じて収納し、収納された紙幣を繰り出して出金する混合紙幣スタッカ１３および万円紙幣スタッカ１４と、入金された紙幣または出金される紙幣を鑑別する鑑別部１２と、出金の際に混合紙幣スタッカ１３または万円紙幣スタッカ１４から繰り出された紙幣のうち出金に適さないリジェクト紙幣を繰り出し元の混合紙幣スタッカ１３および万円紙幣スタッカ１４に対応させて収納する混合紙幣リジェクト庫１５および万円紙幣リジェクト庫１６とを備える。保守時に、リジェクト紙幣を鑑別することなく対応する混合紙幣スタッカ１３および万円紙幣スタッカ１４へすべて戻すことができるので、在高管理を容易に行うことができる。【選択図】図１
2007133641.tif 000002
【特許請求の範囲】
【請求項１】
入金された紙幣を金種に応じて収納し、収納された紙幣を繰り出して出金する複数のスタッカと、前記入金された紙幣または前記スタッカから繰り出された紙幣を鑑別する鑑別部と、出金の際に前記スタッカから繰り出された紙幣で前記鑑別部により出金に適さない紙幣であると判別されたリジェクト紙幣を収納するリジェクト紙幣収納部と、を備えた紙幣入出金機において、
前記リジェクト紙幣収納部は、前記スタッカのそれぞれに対応して設けられ、保守時には収納されている前記リジェクト紙幣を対応する前記スタッカに向けて繰り出すための紙幣繰出部をそれぞれ有する複数の出金リジェクト庫よりなることを特徴とする紙幣入出金機。
【請求項２】
前記スタッカは、保守時に取り外して持ち運べるよう着脱可能に構成されていることを特徴とする請求項１記載の紙幣入出金機。
【請求項３】
前記出金リジェクト庫は、前記鑑別部と紙幣を出金する紙幣出金部との間の紙幣搬送路に対して前記リジェクト紙幣の受け渡しができるよう設けられていることを特徴とする請求項１記載の紙幣入出金機。
【請求項４】
前記鑑別部は、それぞれの前記出金リジェクト庫から繰り出された前記リジェクト紙幣をそれぞれ対応する前記スタッカに向けて戻す際に、前記リジェクト紙幣を鑑別しないで通過させることを特徴とする請求項１記載の紙幣入出金機。
【請求項５】
前記スタッカは、万円紙幣を収納する万円紙幣スタッカ、および、その他の金種の紙幣を混合して収納する混合紙幣スタッカであることを特徴とする請求項１記載の紙幣入出金機。
【発明の詳細な説明】
【技術分野】
【０００１】
本発明は紙幣入出金機に関し、特に入金された紙幣および出金される紙幣を金種別に収納する複数のスタッカと、これらのスタッカから繰り出された紙幣のうち、重なり紙幣、破損などにより出金に適さないリジェクト紙幣を収納するリジェクト紙幣収納部とを備えた紙幣入出金機に関する。
【背景技術】
【０００２】
現在、金融機関やコンビニエンスストアなどに設置されている現金自動預け払い機、セルフ方式のガソリンスタンドにある自動精算機、あるいは交通機関やレジャー施設などの券売機など、一般の利用者が直接紙幣の入出金操作を行うことができる紙幣入出金機が知られている。このような紙幣入出金機は、入金された紙幣を金種別に収納する複数のスタッカを備えている。出金のときは、該当する金種の紙幣が収納されているスタッカから必要枚数の紙幣を１枚ずつ繰り出すことになるが、その際に２枚以上の紙幣が重なって繰り出されたり、繰り出された紙幣が著しく破損していたりして出金に適さない紙幣が繰り出された場合、そのような紙幣はリジェクト紙幣として別個に設けられた出金リジェクト庫に収納するようにしている。
【０００３】
ところで、このような紙幣入出金機は、定期的に行われる保守時において、装置内にある紙幣の在高をチェックし、あらかじめ決められた枚数より多い紙幣は回収し、少なければ補充するというような運用がなされている。紙幣の回収または補充を行うとき、装置内の紙幣を直接人が触れることのないように、スタッカは、着脱自在なカセット金庫の構成を採っている場合がある。保守時には、スタッカに紙幣を収納した状態でカセット金庫を装置本体から取り外し、あらかじめ必要枚数の紙幣を補充していたカセット金庫に交換して、後で取り外したカセット金庫を別の場所に運んで在高を計算したり、取り外したカセット金庫を別の場所に運んで在高を計算し、そこで紙幣の回収または補充をしたカセット金庫を取り外した紙幣入出金機まで運んで取り付けたりするようにしている。
【０００４】
これに対し、出金リジェクト庫は、一般に、各スタッカから繰り出された紙幣を金種混合で収納するよう装置内に固定設置されている。装置内の在高を計算するときには、当然ながら、この出金リジェクト庫に収納されたリジェクト紙幣も計算しなければならない。このため、リジェクト紙幣に関しては、保守時において、出金リジェクト庫に収納されているリジェクト紙幣を係員がその出金リジェクト庫から直接回収することになる。
【０００５】
もちろん、出金リジェクト庫のリジェクト紙幣をすべて元のスタッカに戻すようにすることも考えられる。これにより、カセット金庫には、同一金種のリジェクト紙幣も一緒に収納された状態になるので、保守時の在高の計算作業が容易になる。しかし、元々リジェクト紙幣として収納されている不良紙幣を、人手を介さずに、すべて正確に金種判別して対応するスタッカに振り分けることは、不可能である。
【０００６】
このようなリジェクト紙幣の取り扱いに関して、人手に直接触れることなくリジェクト紙幣を回収することができるようにした紙幣入出金機が知られている（たとえば、特許文献１参照）。この紙幣入出金機によれば、着脱可能なカセット金庫の最も下の段に出金リジェクト庫が一体に設けられ、ここにリジェクト紙幣を金種混合で収納するようにしている。これにより、スタッカと出金リジェクト庫とが一体になったカセット金庫を取り外して在高を計算する場所まで運搬する間、スタッカ内の紙幣はもとよりリジェクト紙幣についても一切人の手に触れることがなくなるので、在高管理を安全に行うことができる。
【特許文献１】特開２０００−１８２１２０号公報（段落〔０００６〕、図２）
【発明の開示】
【発明が解決しようとする課題】
【０００７】
しかし、出金リジェクト庫をスタッカと一体に設ける構成では、収納枚数が決められたスタッカに新たに出金リジェクト庫が並設されるため、リジェクト紙幣を含めて一緒に在高を管理することができるが、紙幣を収納する部分が大型化してしまい、しかも、出金リジェクト庫に全金種混合で収納されるリジェクト紙幣は金種別に振り分けなければならない分、在高の計算の手間が増えるという問題点があった。
【０００８】
本発明は、このような点に鑑みてなされたものであり、リジェクト紙幣を含む装置内の在高管理を容易に行うことができる紙幣入出金機を提供することを目的とする。
【課題を解決するための手段】
【０００９】
本発明では、上記課題を解決するために、入金された紙幣を金種に応じて収納し、収納された紙幣を繰り出して出金する複数のスタッカと、前記入金された紙幣または前記スタッカから繰り出された紙幣を鑑別する鑑別部と、出金の際に前記スタッカから繰り出された紙幣で前記鑑別部により出金に適さない紙幣であると判別されたリジェクト紙幣を収納するリジェクト紙幣収納部と、を備えた紙幣入出金機において、前記リジェクト紙幣収納部は、前記スタッカのそれぞれに対応して設けられ、保守時には収納されている前記リジェクト紙幣を対応する前記スタッカに向けて繰り出すための紙幣繰出部をそれぞれ有する複数の出金リジェクト庫よりなることを特徴とする紙幣入出金機が提供される。
【００１０】
このような紙幣入出金機によると、出金リジェクト庫は、金種別に収納するスタッカにそれぞれ対応して設けられているので、各出金リジェクト庫には、対応するスタッカが収納している紙幣の金種と同じ金種のリジェクト紙幣が収納される。したがって、保守時には、出金リジェクト庫のリジェクト紙幣をそのまま対応するスタッカに金種の振り分けをすることなく戻すことができるので、スタッカには、リジェクト紙幣を含め同一金種の紙幣が収納されることになるため、在高の計算を容易に行うことが可能になる。
【発明の効果】
【００１１】
本発明の紙幣入出金機は、出金リジェクト庫を金種別に収納するスタッカにそれぞれ対応して設けるように構成したことにより、各出金リジェクト庫に収納されるリジェクト紙幣の金種を対応するスタッカの紙幣の金種と同じにすることができる。このため、保守時に、出金リジェクト庫のリジェクト紙幣をそのまま対応するスタッカに戻すだけで、同一金種の紙幣を対応するスタッカにすべて集めることができるので、装置内の在高を容易に計算することができるという利点がある。
【００１２】
また、本発明では、スタッカを着脱可能に構成したことにより、リジェクト紙幣を含む同一金種の紙幣を人手に触れることなく在高の計算を行う場所まで持ち運ぶことができるので、在高管理を安全に行うことができる。
【００１３】
さらに、本発明では、出金リジェクト庫に収納されるリジェクト紙幣は、対応するスタッカの紙幣と同じ金種であるため、保守時にリジェクト紙幣を出金リジェクト庫から対応するスタッカへ戻す際に、戻る先のスタッカを決めるための金種の鑑別が不要なので、出金リジェクト庫から対応するスタッカの搬送速度を高速化することが可能であり、在高管理のための前処理を短くすることができる。
【発明を実施するための最良の形態】
【００１４】
以下、本発明の実施の形態を、紙幣を収納するスタッカとして万円紙幣を単独で収納するスタッカとその他の金種の紙幣を混在して収納するスタッカとを備えている場合を例に図面を参照して詳細に説明する。
【００１５】
図１は本発明による紙幣入出金機の概略構成を示す側面図である。
ここに例示した紙幣入出金機１０において、その右端は、利用者が対面して入出金操作をすることができる装置の正面になっていて、そこには、入金しようとする紙幣が投入される紙幣入金口と払い出された紙幣が出金される紙幣出金口とが設けられている。
【００１６】
この紙幣入出金機１０は、紙幣入金口の内側に設置された紙幣入金部１１、装置の中央近傍に設置された鑑別部１２、装置内の下部に奥行き方向に並んで設置された混合紙幣スタッカ１３および万円紙幣スタッカ１４、装置の背面側に高さ方向に並設された混合紙幣リジェクト庫１５および万円紙幣リジェクト庫１６、および紙幣出金口の内側に設置された紙幣出金部１７を備えている。
【００１７】
紙幣入金部１１と鑑別部１２との間には、入金された紙幣を搬送する入金紙幣搬送部１８が設けられ、鑑別部１２と混合紙幣スタッカ１３との間および混合紙幣スタッカ１３と万円紙幣スタッカ１４との間には、入出金される紙幣が搬送される搬送部１９，２０が設けられ、この搬送部２０と紙幣出金部１７との間には、出金される紙幣が搬送される搬送部２１，２２および出金紙幣搬送部２３が設けられている。
【００１８】
さらに、入金紙幣搬送部１８の鑑別部１２の側には、入金紙幣搬送部１８によって搬送された紙幣を鑑別部１２へ差し向けるか鑑別部１２から出た紙幣を出金側の搬送部２１へ差し向けるかの搬送路の切り替えを行う切替ゲート２４を備え、搬送部１９と搬送部２０との間には、搬送部１９によって搬送された入金紙幣を搬送部２０へ差し向けるか混合紙幣スタッカ１３へ差し向けるかの搬送路の切り替えを行う切替ゲート２５を備え、搬送部２０と搬送部２１との間には、搬送部２０によって搬送された入金紙幣を搬送部２１へ差し向けるか万円紙幣スタッカ１４へ差し向けるかの搬送路の切り替えを行う切替ゲート２６を備え、搬送部２１には、混合紙幣リジェクト庫１５または万円紙幣リジェクト庫１６から繰り出されて搬送部２１によって搬送された紙幣を切替ゲート２４へ差し向けるか搬送部２０へ差し向けるかの搬送路の切り替えを行う切替ゲート２７を備え、搬送部２１と搬送部２２との間には、搬送部２１によって搬送された出金紙幣を搬送部２２へ差し向けるか万円紙幣リジェクト庫１６へ差し向けるかの搬送路の切り替えを行う切替ゲート２８を備え、搬送部２２と出金紙幣搬送部２３との間には、搬送部２２によって搬送された出金紙幣を出金紙幣搬送部２３へ差し向けるか混合紙幣リジェクト庫１５へ差し向けるかの搬送路の切り替えを行う切替ゲート２９を備えている。
【００１９】
紙幣入金部１１は、紙幣入金口から一度に複数枚の紙幣を受け入れることができ、まとめて投入された紙幣を１枚ずつ分離して入金紙幣搬送部１８へ送り出すことができるよう構成されている。
【００２０】
鑑別部１２は、入金時に紙幣入金部１１から入金紙幣搬送部１８によって搬送された紙幣を鑑別してその紙幣の真贋および金種の判別を行い、出金時には、混合紙幣スタッカ１３または万円紙幣スタッカ１４から繰り出されて搬送部１９により搬送された紙幣を鑑別してその紙幣の真贋および金種の判別を行う。
【００２１】
混合紙幣スタッカ１３は、切替ゲート２５を介して入金された千円、二千円および五千円紙幣を混合して積層収納し、万円紙幣スタッカ１４は、切替ゲート２６を介して入金された万円紙幣を積層収納するよう構成されている。また、混合紙幣スタッカ１３および万円紙幣スタッカ１４は、それぞれそれらの上部に紙幣繰出部３０，３１を備え、出金時に積層収納されている紙幣を１枚ずつ繰り出して切替ゲート２５，２６へ送り出すことができるようにしている。さらに、混合紙幣スタッカ１３および万円紙幣スタッカ１４は、保守時に、紙幣入出金機１０から取り外して持ち運べるよう着脱可能に構成されている。
【００２２】
混合紙幣リジェクト庫１５および万円紙幣リジェクト庫１６は、出金時に混合紙幣スタッカ１３および万円紙幣スタッカ１４から繰り出された紙幣のうち、複数枚重なった状態で繰り出された重なり紙幣または破損された紙幣など出金に適さないリジェクト紙幣を装置内に保管しておくためのもので、混合紙幣スタッカ１３および万円紙幣スタッカ１４に１対１に対応して設置されている。搬送部２１，２２によって搬送されてきたリジェクト紙幣は、切替ゲート２８，２９を介して混合紙幣スタッカ１３または万円紙幣スタッカ１４に取り込まれ、中に積層収納される。また、混合紙幣リジェクト庫１５および万円紙幣リジェクト庫１６は、それぞれそれらの上部に紙幣繰出部３２，３３を備え、保守時には積層収納されているリジェクト紙幣を紙幣繰出部３２，３３により１枚ずつ繰り出し、対応する混合紙幣スタッカ１３および万円紙幣スタッカ１４へ戻すことができるようにしている。
【００２３】
紙幣出金部１７は、出金紙幣搬送部２３により搬送されてきた紙幣を順次受け入れて積層収納し、その紙幣を積層された束状態のまま紙幣出金口より払い出すことができるよう構成されている。
【００２４】
次に、上記構成の紙幣入出金機１０において、紙幣入金時の動作について説明する。
図２は紙幣入金時の動作を説明する説明図である。なお、この図２において、図面の煩雑さを避けるために、各搬送部を構成するベルトは省略して示してある。
【００２５】
入金動作は、紙幣入金部１１に紙幣が投入され、それが図示しない紙幣投入センサにより検知されることによって開始される。紙幣入金部１１に投入された紙幣は、１枚ずつ分離されて入金紙幣搬送部１８に順次繰り出される。このとき、切替ゲート２４は、入金紙幣搬送部１８によって搬送された紙幣を鑑別部１２の方へ差し向ける側に搬送路を切り替えているので、入金紙幣搬送部１８によって搬送された紙幣は、鑑別部１２に入り、ここで入金された紙幣の真贋および金種が判別される。
【００２６】
ここで、鑑別部１２による鑑別結果により、入金紙幣が正貨であってその金種がたとえば万円紙幣であった場合、切替ゲート２５は搬送部１９と搬送部２０とを接続する側に搬送路を切り替え、切替ゲート２６は搬送部２０と万円紙幣スタッカ１４とを接続する側に搬送路を切り替える。また、入金紙幣が正貨であってその金種が千円、二千円および五千円のいずれかであった場合、切替ゲート２５は搬送部１９と混合紙幣スタッカ１３とを接続する側に搬送路を切り替える。
【００２７】
したがって、鑑別部１２にて鑑別された紙幣が万円の場合、その紙幣は搬送部１９，２０により搬送され、切替ゲート２６により搬送路が切り替えられて万円紙幣スタッカ１４に投入されてその中に積載収納される。
【００２８】
また、鑑別部１２にて鑑別された紙幣が千円、二千円および五千円のいずれかの金種であった場合、その紙幣は搬送部１９により搬送され、切替ゲート２５により搬送路が切り替えられて混合紙幣スタッカ１３に投入されてその中に積載収納される。
【００２９】
さらに、入金紙幣が鑑別部１２によって正貨と判別できなかった場合、切替ゲート２５，２６は搬送部１９，２０，２１を接続する側に搬送路を切り替え、切替ゲート２７，２８，２９は搬送部２１，２２および出金紙幣搬送部２３の搬送路から退避する側に切り替えられる。これにより、正貨と判別できなかった入金紙幣は、鑑別部１２から搬送部１９，２０，２１，２２および出金紙幣搬送部２３により搬送されて紙幣出金部１７に投入され、入金動作終了後に紙幣出金部１７によって紙幣出金口から返却される。
【００３０】
次に、払い出し要求の操作があったとき、あるいは、以上のような入金操作をした後、紙幣の釣銭が必要な場合または入金操作のキャンセルがあった場合には、混合紙幣スタッカ１３および／または万円紙幣スタッカ１４に収納されている紙幣の払い出しまたは返却を行う必要があるが、その場合の紙幣入出金機１０における紙幣出金時の動作について説明する。
【００３１】
図３は紙幣出金時の動作を説明する説明図である。
出金を行うとき、まず、出金すべき金種に応じたゲート切り替えが行われる。すなわち、出金すべき紙幣がたとえば万円の場合、切替ゲート２６は万円紙幣スタッカ１４から繰り出された紙幣を搬送部２０へ渡す側に切り替えられ、切替ゲート２５は搬送部２０と搬送部１９とを接続する側へ切り替えられ、切替ゲート２４は鑑別部１２から出た紙幣を切替ゲート２７へ差し向ける側へ切り替えられ、切替ゲート２７は切替ゲート２４から出る紙幣を搬送部２１へ渡す側に切り替えられる。
【００３２】
次に、万円紙幣スタッカ１４に収納されている紙幣は紙幣繰出部３１により繰り出され、切替ゲート２６を介して搬送部２０に渡される。その紙幣は、搬送部２０および搬送部１９を介して鑑別部１２へ搬送され、ここで鑑別される。
【００３３】
鑑別の結果、出金に適した紙幣である場合には、混合紙幣リジェクト庫１５および万円紙幣リジェクト庫１６に隣接して設けられた切替ゲート２８，２９は紙幣の搬送路から退避する位置に切り替えられる。したがって、鑑別部１２を出た紙幣は、切替ゲート２４，２７を介して搬送部２１に渡され、そこから搬送部２２および出金紙幣搬送部２３により搬送されて紙幣出金部１７に投入される。紙幣出金部１７に投入された紙幣は、そこに保留され、出金動作終了後に紙幣出金口からまとめて払い出される。
【００３４】
鑑別の結果、万円紙幣スタッカ１４から重なって繰り出されてしまった紙幣のように出金に適さないリジェクト紙幣である場合、万円紙幣リジェクト庫１６に隣接して設けられた切替ゲート２８は搬送部２１によって搬送された紙幣を万円紙幣リジェクト庫１６へ差し向ける側へ切り替えられる。これにより、そのリジェクト紙幣は、万円紙幣リジェクト庫１６へ投入されて収納される。
【００３５】
出金すべき紙幣が万円以外の場合には、切替ゲート２５が混合紙幣スタッカ１３から繰り出された紙幣を搬送部１９へ渡す側に切り替えられる以外は、万円紙幣の出金時の動作と同じである。もちろん、混合紙幣スタッカ１３から繰り出された紙幣がリジェクト紙幣であった場合には、混合紙幣リジェクト庫１５に隣接して設けられた切替ゲート２９は搬送部２２によって搬送された紙幣を混合紙幣リジェクト庫１５へ差し向ける側へ切り替えられて、そのリジェクト紙幣を混合紙幣リジェクト庫１５に収納する。
【００３６】
なお、混合紙幣スタッカ１３は、金種混合で積層収納されている紙幣をその最上位から１枚ずつ順次繰り出す構成になっているので、出金時に繰り出された紙幣が必ずしも出金したい金種でないことがある。そのような場合、混合紙幣スタッカ１３から繰り出された紙幣は、鑑別部１２においてリジェクト紙幣と判別されて混合紙幣リジェクト庫１５に収納されることになる。このようにして混合紙幣リジェクト庫１５に退避された紙幣は、出金動作終了後に、混合紙幣スタッカ１３へ戻しておくこともできる。
【００３７】
次に、保守時において、装置内にある紙幣の在高をチェックするときには、混合紙幣リジェクト庫１５および万円紙幣リジェクト庫１６に収納されているリジェクト紙幣は混合紙幣スタッカ１３および万円紙幣スタッカ１４に戻される。これは、上記の出金時の動作にて、混合紙幣スタッカ１３および万円紙幣スタッカ１４から繰り出された紙幣がリジェクト紙幣として混合紙幣リジェクト庫１５および万円紙幣リジェクト庫１６に収納されるときと同じ搬送経路を用い、混合紙幣リジェクト庫１５および万円紙幣リジェクト庫１６から紙幣繰出部３２，３３によって繰り出されたリジェクト紙幣を逆方向に搬送することによってそれぞれ元の収納場所に収納させることができる。このとき、混合紙幣リジェクト庫１５のリジェクト紙幣は混合紙幣スタッカ１３へ、万円紙幣リジェクト庫１６のリジェクト紙幣は万円紙幣スタッカ１４へと、それぞれ戻る行き先が決まっており、戻る途中で鑑別部１２による紙幣の鑑別は必要ないので、リジェクト紙幣が鑑別部１２を通るときには、鑑別することなく単に通過させるようにしている。
【００３８】
このようにしてすべてのリジェクト紙幣が混合紙幣スタッカ１３および万円紙幣スタッカ１４に戻された後、これら混合紙幣スタッカ１３および万円紙幣スタッカ１４は、紙幣入出金機１０から取り外され、在高を計算する場所まで運ばれ、そこで在高の計算が行われる。
【００３９】
なお、上記の説明では、万円紙幣とその他の金種の紙幣とに分けて収納するようにしたが、それらの金種の振り分けは、それらに限定されるものではなく、任意に設定することができる。
【００４０】
また、上記の説明では、紙幣を収納するスタッカを２つ設けた場合について説明したが、２つに限定されるものではなく、スタッカを３つ以上設けるようにしてもよい。その場合、リジェクト庫もスタッカの数だけ設けられることになる。
【図面の簡単な説明】
【００４１】
【図１】本発明による紙幣入出金機の概略構成を示す側面図である。
【図２】紙幣入金時の動作を説明する説明図である。
【図３】紙幣出金時の動作を説明する説明図である。
【符号の説明】
【００４２】
１０  紙幣入出金機
１１  紙幣入金部
１２  鑑別部
１３  混合紙幣スタッカ
１４  万円紙幣スタッカ
１５  混合紙幣リジェクト庫
１６  万円紙幣リジェクト庫
１７  紙幣出金部
１８  入金紙幣搬送部
１９，２０，２１，２２  搬送部
２３  出金紙幣搬送部
２４，２５，２６，２７，２８，２９  切替ゲート
３０，３１，３２，３３  紙幣繰出部
【図１】
2007133641.tif 000003
【図２】
2007133641.tif 000004
【図３】
2007133641.tif 000005